(57)【要約】【課題】  映像切替装置において、素材機器を制御するために用いる制御信号の出力タイミングと、映像信号の出力切替タイミングとを調整することによって、不体裁な映像が出力されないように切替制御を行う。【解決手段】  入力操作に応じ、切替先の素材機器２に対して第一の制御信号ｅを送出し、また、第一の制御信号ｅを送出したときから一定時間経過した後に、切替元の素材機器１に対して第二の制御信号ｄを送出するタリー出力処理部７と、第一の制御信号ｅを送出したときから一定時間経過した後に、切替元の素材機器１の映像信号ａから切替先の素材機器２の映像信号ｂにオンエア映像ｃを切り替えるマトリックス部５と、からなる構成としてある。【選択図】      図１
2008167125.tif 000002
【特許請求の範囲】
【請求項１】
一又は二以上の素材機器に対して制御信号を送出することによってその素材機器の制御を行うとともに、各素材機器から入力された映像信号のうち任意の映像信号を出力させる映像切替装置であって、
切替操作に応じ、切替先の素材機器に対して第一の制御信号を送出する第一制御信号送出手段と、
前記第一の制御信号を送出したときから一定時間経過した後に、切替元の素材機器に対して第二の制御信号を送出する第二制御信号送出手段と、
前記第一の制御信号を送出したときから一定時間経過した後に、前記切替元の素材機器の映像信号から前記切替先の素材機器の映像信号に出力映像信号を切り替える映像切替手段と、を備えることを特徴とする映像切替装置。
【請求項２】
前記第二制御信号送出手段は、
前記第一の制御信号を送出したときから一定時間経過するまでは、前記切替元の素材機器に対して前記第二の制御信号を送出しないことを特徴とする請求項１に記載の映像切替装置。
【請求項３】
前記映像切替手段における同一の切替動作を同時に行う第二切替手段と、
前記第二切替手段における切り替えの発生を、その発生と同時に前記第二制御信号送出手段に通知する切替通知手段と、を備え、
前記第二制御信号送出手段は、
前記切替通知手段による通知に応じ、切替元の素材機器に対して前記第二の制御信号を送出させることを特徴とする請求項１又は２に記載の映像切替装置。
【請求項４】
前記第二制御信号送出手段は、
前記切替通知手段による通知を受けるまでは、素材機器に対して前記第二の制御信号を送出しないことを特徴とする請求項１乃至３のいずれかに記載の映像切替装置。
【請求項５】
前記第一の制御信号はタリーオン信号であるとともに、前記第二の制御信号はタリーオフ信号であることを特徴とする請求項１乃至４のいずれかに記載の映像切替装置。
【請求項６】
映像信号を出力する一又は二以上の素材機器と、前記素材機器に対して所定の制御信号を送出する制御信号出力装置と、各素材機器から入力された映像信号のうち任意の映像信号を出力させる映像切替装置と、からなる映像システムであって、
切替元となる前記素材機器は、第一の制御信号の受信に応じて所定の動作を行う第一制御動作手段と、
切替先となる前記素材機器は、第二の制御信号の受信に応じて所定の動作を行う第二制御動作手段と、を備え、
前記制御信号出力装置は、
前記映像切替装置における切替操作に応じ、切替先の素材機器に対して第一の制御信号を送出する第一制御信号送出手段と、
前記第一の制御信号を送出したときから一定時間経過した後に、切替元の素材機器に対して第二の制御信号を送出する第二制御信号送出手段と、を備え、
前記映像切替装置は、
前記制御信号送出装置が前記第一の制御信号を送出したときから一定時間経過した後に、前記切替元の素材機器の映像信号から前記切替先の素材機器の映像信号に出力映像信号を切り替える映像切替手段を備えることを特徴とする映像システム。
【請求項７】
一又は二以上の素材機器に対して制御信号を送出することによってその素材機器の制御を行うとともに、各素材機器から入力された映像信号のうち任意の映像信号を出力させる映像切替装置を構成するコンピュータを、
切替操作に応じ、切替先の素材機器に対して第一の制御信号を送出する第一制御信号送出手段、
前記第一の制御信号を送出したときから一定時間経過した後に、切替元の素材機器に対して第二の制御信号を送出する第二制御信号送出手段、
前記第一の制御信号を送出したときから一定時間経過した後に、前記切替元の素材機器の映像信号から前記切替先の素材機器の映像信号に出力映像信号を切り替える映像切替手段、として機能させるための映像切替プログラム。
【発明の詳細な説明】
【技術分野】
【０００１】
本発明は、一又は二以上の素材機器と接続され、ユーザの任意により出力する映像信号を任意に切り替えることが可能な映像切替装置に関する。
【背景技術】
【０００２】
従来、テレビジョン放送局やポストプロダクション等で使用される映像切替装置は、スタジオカメラ、ＶＴＲ装置、ビデオサーバ、テロッパー装置等、放送の素材映像を出力する素材機器と接続され、これら素材機器から出力される映像信号を任意に切り替えてオンエアできるようになっている。
【０００３】
ここで、従来の映像切替装置について図６を参照しながら説明する。
なお、ここでは、素材機器１１の素材映像ａａがマトリックス部５５のＸＸ点を経由して映像出力部６６に入力され、オンエア映像ｃｃとして出力されている状態において、このオンエア映像ｃｃを素材機器２２の素材映像ｂｂに切り替えるケースについて説明する。
【０００４】
まず、ユーザは、操作部３３によってオンエア映像ｃｃを素材映像ａａから素材映像ｂｂに切り替える操作を行う。
この切替操作に応じて制御部４４は、マトリックス部５５及びタリー出力処理部７７に制御信号ｆｆ及び制御信号ｇｇを出力する。
なお、制御信号ｆｆは、マトリックス部５５内において、接続点をＸＸからＹＹに切り替えることを命令する信号であり、制御信号ｇｇは、切替先の素材機器２２に対し、タリーオン信号ｅｅを送出することを命令する信号である。
【０００５】
制御信号ｇｇを受け取ったタリー出力処理部７７は、素材機器２２に対しタリーオン信号ｅｅを送出すると同時に、タリーオフ信号ｄｄを素材機器１１に送出する。
タリーオン信号ｅｅを受け取った素材機器２２は、例えば、待機させていた映像信号の再生を開始し、タリーオフ信号ｄｄを受け取った素材機器１１は、例えば、出力中の映像信号の配信を停止させるといった動作等を行う。
一方、制御信号ｆｆを受け取ったマトリックス部５５は、接続点をＸＸからＹＹに切り替え、これによって、素材機器２２からの素材映像ｂｂが映像出力部６６を介してオンエアされることとなり、所定の切替動作が完了する仕組みとなっている。
【０００６】
ここで、このような映像切替装置を介して映像信号を切り替える際には、その前段に接続される機器等の違いによって生じる位相の変化に配慮する必要がある。
このため、映像切替装置（マスタスイッチャ）の入力部において各出力映像信号の位相を合致させるための映像位相制御手段を含む放送番組制作システムが提案されている（例えば、特許文献１参照）。
この放送番組制作システムによれば、マスタスイッチャからのタリー信号にもとづき所定の映像位相制御手段を動作させ、同時に素材機器に対してもオンエアータリー信号を送信し、同期させるようにしている。
【０００７】
【特許文献１】特開平１１−００４３６０号公報（第１−５頁、第１図）
【発明の開示】
【発明が解決しようとする課題】
【０００８】
しかしながら、以上のような従来提案されているに技術においては、以下の問題を有している。
それは、切替先となる素材機器２２がＶＴＲ装置やビデオサーバ等の場合、これらの素材機器がオンエアータリー信号ｅｅを受信する前は、スチル映像の状態（静止画でストップした状態）で待機することが多く、オンエアータリー信号ｅｅを受信してから所望の動画映像に切り替わるまでに一定の時間（約０．１秒〜1秒）を要することがあるからである（図７におけるｔに相当）。
したがって、映像切替装置が、オンエアータリー信号ｅｅの送出と同時に新たな素材機器２２の素材映像ｂｂに切り替えると、本来放送すべきでない不体裁な映像（図７における素材映像ｂ１に相当）を放送してしまうこととなる。
【０００９】
また、上述の問題を解消するために、一定のディレイ時間を設けて切り替えを行う映像切替装置も存在するが、通常、映像切替装置は、図６に示すように、タリー出力処理部７７が、タリーオン信号ｅｅを送出すると同時に、タリーオフ信号ｄｄを送出するため、例えば、切替元の素材機器１がタリーオフ信号の受信に応じて次に出力すべき素材映像を出力するテロッパー装置等である場合には、そのディレイ時間の間に不体裁な映像（図８における素材映像ａ２に相当）が放送されてしまうといった別の問題が生じることとなっていた。
【００１０】
本発明は、以上のような従来の技術が有する問題を解決するために提案されたものであり、素材機器を制御するために用いる制御信号の出力タイミングと、映像信号の出力切替タイミングとを調整することによって、不体裁な映像が出力されないように切替制御を行う映像切替装置の提供を目的とする。
【課題を解決するための手段】
【００１１】
上記目的を達成するため、本発明の映像切替装置は、請求項１に記載するように、一又は二以上の素材機器に対して制御信号を送出することによってその素材機器の制御を行うとともに、各素材機器から入力された映像信号のうち任意の映像信号を出力させる映像切替装置であって、切替操作に応じ、切替先の素材機器に対して第一の制御信号を送出する第一制御信号送出手段と、前記第一の制御信号を送出したときから一定時間経過した後に、切替元の素材機器に対して第二の制御信号を送出する第二制御信号送出手段と、前記第一の制御信号を送出したときから一定時間経過した後に、前記切替元の素材機器の映像信号から前記切替先の素材機器の映像信号に出力映像信号を切り替える映像切替手段と、を備えた構成としてある。
また、本発明の映像切替装置は、請求項２に記載するように、前記第二制御信号送出手段は、前記第一の制御信号を送出したときから一定時間経過するまでは、前記切替元の素材機器に対して前記第二の制御信号を送出しないようにしてある。
【００１２】
このような構成からなる本発明の映像切替装置によれば、まず、映像出力の切替を命令したタイミングと、実際に映像出力を切り替えるタイミングとの間で時間的な調整を行い、出力映像の最適化を図るようにしている。
具体的には、切替先となる任意の素材機器に対し第一制御信号を送ったときから一定時間を経過した後に、当該素材機器から提供される素材映像が実際に出力されるように映像切替手段を制御するようにしている。
また、切替元となる素材機器に対して送出される第二制御信号については、切替命令と同時に送出するのではなく、実際の切替タイミングと同期させるようにしている。
【００１３】
このため、切替先の素材機器に関しては、第一制御信号の受信から所望の素材映像の出力開始までに要する時間のずれを、切替処理を遅らせることによって吸収し、一方、切替元の素材機器に関しても、同様に第二制御信号の送出を遅らせることにより、それぞれの素材機器からの不体裁な映像の出力を回避することができるようになる。
このように、本発明の映像切替装置によれば、映像切替を確実に行い、所望の映像出力ができるようになるため、信頼性の高い映像システムを実現し、提供することが可能となる。
【００１４】
また、本発明の映像切替装置は、請求項３に記載するように、前記映像切替手段における同一の切替動作を同時に行う第二切替手段と、前記第二切替手段における切り替えの発生を、その発生と同時に前記第二制御信号送出手段に通知する切替通知手段と、を備え、前記第二制御信号送出手段は、前記切替通知手段による通知に応じ、切替元の素材機器に対して前記第二の制御信号を送出させる構成としてある。
また、本発明の映像切替装置は、請求項４に記載するように、前記第二制御信号送出手段は、前記切替通知手段による通知を受けるまでは、素材機器に対して前記第二の制御信号を送出しないようにしてある。
【００１５】
このような構成からなる本発明の映像切替装置によれば、第二切替手段を設けて映像切替手段と同一の動作を行わせ、かつ、切り替えの発生を検知して通知する仕組みを設けている。
このため、映像切替手段が実際に切り替えるタイミングに機械的に同期させて第二の制御信号を送出させることができる。
このため、制御部（ＣＰＵ等）やタイマ等の負担が軽減でき、処理効率及び信頼性に優れた映像切替装置を、簡易な構成で提供することができる。
【００１６】
更に、本発明の映像切替装置は、請求項５に記載するように、前記第一の制御信号はタリーオン信号であるとともに、前記第二の制御信号はタリーオフ信号としてある。
【００１７】
このような構成からなる本発明の映像切替装置によれば、映像切替に関して、切替先の素材機器に対してはタリーオン信号を送出し、切替元の素材機器に対してはタリーオフ信号を送出するようにしてある。
このため、これらの信号の受信に応じた制御が可能な全ての素材機器に対して、本発明の映像切替装置が有効に利用できるようになる。
そのような素材機器として、例えば、スタジオカメラ、ＶＴＲ装置、ビデオサーバ、テロッパー装置など多くの映像切替装置がある。
したがって、様々な素材機器を広く活用することができ、システム構成や利用形態によって対応させることが可能である。
【００１８】
また、本発明の映像切替装置は、請求項６に記載するように、映像信号を出力する一又は二以上の素材機器と、前記素材機器に対して所定の制御信号を送出する制御信号出力装置と、各素材機器から入力された映像信号のうち任意の映像信号を出力させる映像切替装置と、からなる映像システムであって、切替元となる前記素材機器は、第一の制御信号の受信に応じて所定の動作を行う第一制御動作手段と、切替先となる前記素材機器は、第二の制御信号の受信に応じて所定の動作を行う第二制御動作手段と、を備え、前記制御信号出力装置は、前記映像切替装置における切替操作に応じ、切替先の素材機器に対して第一の制御信号を送出する第一制御信号送出手段と、前記第一の制御信号を送出したときから一定時間経過した後に、切替元の素材機器に対して第二の制御信号を送出する第二制御信号送出手段と、を備え、前記映像切替装置は、前記制御信号送出装置が前記第一の制御信号を送出したときから一定時間経過した後に、前記切替元の素材機器の映像信号から前記切替先の素材機器の映像信号に出力映像信号を切り替える映像切替手段を備える構成としてある。
【００１９】
このような構成からなる本発明の映像システムによれば、映像切替装置は制御信号送出手段を備えず、代わりに制御信号出力装置を外部に接続した構成としている。
このため、映像切替装置の構成を簡易なものとし、小型化や低コスト化を図ることができるようになる。
また、既存のタリー出力装置をそのまま利用することができるため、システム全体としても低コスト化を図ることができる。
【００２０】
また、本発明の映像切替プログラムは、請求項７に記載するように、一又は二以上の素材機器に対して制御信号を送出することによってその素材機器の制御を行うとともに、各素材機器から入力された映像信号のうち任意の映像信号を出力させる映像切替装置を構成するコンピュータを、切替操作に応じ、切替先の素材機器に対して第一の制御信号を送出する第一制御信号送出手段、前記第一の制御信号を送出したときから一定時間経過した後に、切替元の素材機器に対して第二の制御信号を送出する第二制御信号送出手段、前記第一の制御信号を送出したときから一定時間経過した後に、前記切替元の素材機器の映像信号から前記切替先の素材機器の映像信号に出力映像信号を切り替える映像切替手段、として機能させるためのプログラムとしてある。
【００２１】
このように本発明はプログラムとしても実現化することができる。
これにより、専ら映像切替装置として製造するのではなく、コンピュータ又はコンピュータが組み込まれた各種ハードウェアにプログラムをインストールすることによって本発明を実現することができ、汎用性，拡張性に優れた映像切替プログラムとして提供することができる。
【発明の効果】
【００２２】
以上のように、本発明の映像切替装置によれば、映像切替に際し、切替先の素材機器からの不体裁な映像のみならず、切替元の素材機器からの不体裁な映像の出力を回避し、信頼性の高い切替動作を実現することができる。
【発明を実施するための最良の形態】
【００２３】
以下、本発明の好ましい実施形態について図１〜図６を参照して説明する。
ここで、以下に示す本実施形態の映像切替装置は、プログラム（ソフトウェア）の命令によりコンピュータで実行される処理，手段，機能によって実現される。プログラムは、コンピュータの各構成要素に指令を送り、以下に示すような所定の処理・機能を行わせる。すなわち、本実施形態の映像切替装置における各処理・手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００２４】
［第一実施形態］
図１は、本発明の第一実施形態に係る映像切替装置の概略構成を示すブロック図である。
図１に示すとおり、本実施形態の映像切替装置Ａは、素材機器１及び素材機器２と接続されており、各素材機器からの映像を任意に切り替えてオンエア映像として出力できるようになっている。
なお、素材機器としてはテレビジョン放送局、ポストプロダクション等で使用されるスタジオカメラ、ＶＴＲ装置、ビデオサーバ、テロッパー装置等の映像出力装置を想定しており、本実施形態においては素材機器２台の構成となっているが、映像切替装置Ａに接続される素材機器の台数に特に制限はない。
【００２５】
同図に示すように、映像切替装置Ａは、主に、操作部３、制御部４、マトリックス部５、映像出力部６及びタリー出力処理部７によって構成されている。
操作部３は、ユーザが切替操作を行う部分であり、具体的には、オンエア中の映像に関し、ある素材映像から他の素材映像へ変更する要求をおこなうものであり、所定のスイッチ、ボタン、パネル等を操作して行うものである。
本実施形態においては、素材機器１の素材映像ａから素材機器２の素材映像ｂに切り替えるケースを想定している。
【００２６】
制御部４は、マトリックス部５及びタリー出力処理部７の制御を行うものであり、具体的には、操作部３による切替要求を受け、マトリックス部５に対し制御信号ｆを送出し、タリー出力処理部７に対し制御信号ｇ、ｈを送出するものである。
制御信号ｆは、マトリックス部５に対して素材映像の出力切替を命令する信号であり、具体的には、接続点ＸをＹに切り替える命令を行うものである。
制御信号ｇは、タリー出力処理部７に対し、切替先となる素材機器２にタリーオン信号ｅ（第一の制御信号）を送出する旨を命令する信号であり、制御信号ｈは、切替元の素材機器１にタリーオフ信号ｄ（第二の制御信号）を送出する旨を命令する信号である。
なお、制御信号ｆと制御信号ｇの送出タイミングはタイマ８によって時間制御される。
【００２７】
マトリックス部５は、特許請求の範囲に記載するところの映像切替手段に相当するものであり、素材機器からの素材映像を切り替える役割を有するものである。
具体的には、切替操作によってマトリックス部５内の接続点がＸからＹに変更され、これによりオンエア映像ｃが素材映像ａから素材映像ｂに切り替えられる。
映像出力部６は、マトリックス部５からの映像信号を取り込み、オンエア映像として出力する役割を担うものである。
本実施形態においては、マトリックス部５から出力される映像信号の数は単数であるが、複数の映像信号を合成する映像合成手段としての役割を担うことも可能である。
なお、映像出力部６から出力されたオンエア映像ｃは、図示しない放送通信機器等を介して配信される。
【００２８】
タリー出力処理部７は、特許請求の範囲に記載するところの第一制御信号送出手段及び第二制御信号送出手段に相当するものであり、接続された各素材機器に対して所定の制御信号を送出するものである。
具体的には、制御部４の制御のもと、切替先の素材機器２に対してタリーオン信号（第一の制御信号）を送出し、切替元の素材機器に対しタリーオフ信号（第二の制御信号）を送出するものであり、一般には、接点のＯＮ／ＯＦＦにより伝達される接点信号が用いられる。
なお、従来のタリー出力処理部７７（図６参照）と異なり、タリーオン信号の送出タイミングとタリーオフ信号の送出タイミングに時間差を設けているところに特徴がある。
【００２９】
タイマ８は、制御部４との連動により、制御信号ｆ及び制御信号ｈの送出タイミングを調整するものである。
例えば、切替先となる素材機器２がタリーオン信号を受信した後からその出力準備が完了するまでの時間（通常、約０．１秒乃至1秒程度）を予め把握し、タイマ設定しておく。そして、切替操作と同時に時間測定を開始し、前述のタイマ設定時間を経過すると制御部４によって制御信号ｆと制御信号ｈが送出され切替処理等が実行される、といった仕組みである。
【００３０】
次に、以上のような構成からなる第一実施形態の映像切替装置における切替手順について図１及び図２を参照しながら説明する。
図２は、本発明の第一実施形態に係る映像切替装置における切替手順を示したフローチャートである。
なお、前提として、素材機器１からの素材映像ａがマトリックス部５のＸ点を経由し、映像出力部６を介してオンエア出力されているものとする。
【００３１】
まず、ユーザは操作部３によって切替操作を行う（Ｓ１）。
具体的には、オンエア映像ｃを素材映像ａから素材映像ｂに切り替える要求を行うものである。
操作部３から切替要求を受けた制御部４は、タリー出力処理部７に制御信号ｇを送出し、タリー出力処理部７は切替先となる素材機器２に対してタリーオン信号を送出する（Ｓ２）。
同時に、タイマ８は時間測定を開始し、一定の時間が経過したときに（Ｓ３：ＹＥＳ）、制御部４は、マトリックス部５及びタリー出力処理部７に対して制御信号ｆ及び制御信号ｈを送出する（Ｓ４、Ｓ６）。
そして、制御信号ｆを受信したマトリックス部５は、接続点をＸからＹに切り替える（Ｓ５）とともに、制御信号ｈを受信したタリー出力処理部７は、タリーオフ信号ｄを素材機器１に送出する（Ｓ７）。
【００３２】
以上説明したように、本実施形態の映像切替装置Ａによれば、切替操作と同時に、切替先の素材機器２に対して第一制御信号ｅ（タリーオン信号）を送出させ、その一定時間後にマトリックス部５の切替処理を行うことによって、最適な素材映像ｂを体裁よくオンエア出力させることとができる。
一方、切替元の素材機器１に対しても、切替先の素材機器２にタリーオン信号を送出してから一定時間経過後に第二制御信号ｄ（タリーオフ信号）を送出し、オンエア映像の最適化を図っている。
【００３３】
これは、切替元の素材機器１として、タリーオフ信号ｄの受信に応じて自己が保有する次の素材映像を出力させるような機器（例えば、テロッパー装置等）が採用された場合を想定したものである。つまり、従来の映像切替装置においては、タリーオン信号と同時にタリーオフ信号も送出されていたため、切替元の素材機器がテロッパー装置等であり、かつ、切替先に係る素材映像の最適化のために切替処理をディレイさせる場合に、その切り替え直前のディレイ時間帯に切替元の素材機器からの不体裁な素材映像がオンエア映像として出力されてしまう不具合が生じていたからである。
したがって、本実施形態の映像切替装置Ａによれば、このような不具合をも解消することができるようになる。
【００３４】
このように、本発明の映像切替装置Ａによれば、切り替えの際に切替元及び切替先の素材機器から出力される不体裁な映像の出力を回避し、最適なオンエア映像を出力させることができる。
【００３５】
［第二実施形態］
次に、本発明の第二実施形態に係る映像切替装置について図３及び図４を参照しながら説明する。
図３は、本発明の第二実施形態に係る映像切替装置の概略構成を示すブロック図である。
図３に示すとおり、本実施形態の映像切替装置Ａは、前述の第一実施形態における映像切替装置と異なり、仮想マトリックス部５ａを備えることが最大の特徴である。
すなわち、前述の第一実施形態においてはタイマ８によってタリーオフ信号ｄ送出のタイミングを調整し、出力映像の最適化を図ったが、本実施形態においては、仮想マトリックス部５ａを介してタリーオフ信号ｄの送出タイミングを同期させ、同様の効果を得る仕組みとしている。
【００３６】
なお、仮想マトリックス部５ａは、特許請求の範囲に記載するところの第二切替手段に相当し、マトリックス部５と同様の論理構成を備えるものである。
また、マトリックス部５と同様に制御部４から制御信号ｆを受信し、マトリックス部５と同一のタイミングで切り替えを実施するが、実際の映像信号は取り扱わない特徴を有している。
例えば、オンエア映像ｃを素材映像ａから素材映像ｂに切り替えるため、マトリックス部５では、接続点がＸからＹに切り替えられるが、同時に仮想マトリックス部５ａにおいてもこれに対応して接続点がＸ’からＹ’に切り替えられる。
そして、この切り替えの実施と同時に、所定の切替通知がタリー出力処理部７になされ（切替通知手段）、タリー出力処理部７では切替通知信号ｊの受信に応じてタリーオフ信号を切替元の素材機器１に送出するように制御される仕組みとなっている。
なお、他の構成部分については、前述の第一実施形態と同様であるため詳細な説明は割愛する。
【００３７】
次に、本発明の第二実施形態に係る映像切替装置の切替手順について図３及び図４を参照しながら説明する。
図４は、本発明の第二実施形態に係る映像切替装置の切替手順を示すフローチャートである。
まず、ユーザは操作部３によって切替操作を行う（Ｓ１１）。
操作部３から切替要求を受けた制御部４は、タリー出力処理部７に制御信号ｇを送出し、タリー出力処理部７は切替先となる素材機器２に対してタリーオン信号ｅを送出する（Ｓ１２）。
同時に、タイマ８は時間測定を開始し、一定の時間が経過したときは（Ｓ１３：ＹＥＳ）、制御部４は、マトリックス部５及び仮想マトリックス部５ａに対して制御信号ｆを送出する（Ｓ１４）。
制御信号ｆを受信したマトリックス部５は、接続点をＸからＹに切り替えるとともに、仮想マトリックス部５ａでは、Ｘに対応するＸ’をＹに対応するＹ’に切り替える動作を行う（Ｓ１５）。
なお、ステップＳ１５による切り替えが実施されると同時に、仮想マトリックス部５ａは、タリー出力処理部７に対して所定の切替通知信号ｊを送出する（Ｓ１６）。
そして、切替通知信号ｊを受信したタリー出力処理部７はタリーオフ信号ｄを素材機器１に送出する（Ｓ１７）。
【００３８】
以上説明したように、本実施形態の映像切替装置Ａによれば、第一実施形態と同様の効果が発揮されるだけでなく、マトリックス部５と同様の構成で生成された仮想マトリックス部５ａを備え、この仮想マトリックス部５ａによる機械的制御によって切替元の素材機器１から不体裁な映像出力を回避する構成としてある。
このため、タイマ８や制御部４の負担を極力抑え、信頼性のみならず処理効率に優れた映像切替装置Ａを提供することが可能となる。
【００３９】
［第三実施形態］
次に、本発明の第三実施形態に係る映像システムについて図５を参照しながら説明する。
図５は、本発明の第三実施形態に係る映像システムの構成を示すシステム構成図である。
図５に示すとおり、本実施形態の映像システムは、前述の第一実施形態や第二実施形態と異なり、映像切替装置Ａはタリー出力処理部を搭載しておらず、代わりにタリー出力装置７ａが外部に接続される構成としている。
したがって、映像切替装置Ａの構成を簡易なものとすることができるだけでなく、ユーザの利用形態に応じてシステム全体を構築することができ、システム自体にバリエーションを持たせることが可能である。
【００４０】
このように本実施形態の映像システムによれば、前述の第一実施形態及び第二実施形態と同様の効果が発揮されるだけでなく、映像切替装置Ａの小型化や低コスト化が図れ、汎用性・拡張性に優れたシステムを実現し、提供することができる。
【００４１】
以上、本発明の映像切替装置について、好ましい実施形態を示して説明したが、本発明にかかる映像切替装置は、上述した実施形態にのみ限定されるものではなく、本発明の範囲で種々の変更実施が可能であることは言うまでもない。
例えば、本発明の第二実施形態における仮想マトリックス部５ａは、スイッチ等のハードウェアを主体とした構成でもよく、また、論理プログラム等のソフトウェア処理によって実現するものであってもよい。
【産業上の利用可能性】
【００４２】
本発明は、マトリックス部を備えた映像切替装置に好適に利用することができる。
【図面の簡単な説明】
【００４３】
【図１】本発明の第一実施形態に係る映像切替装置の概略構成を示すブロック図である。
【図２】本発明の第一実施形態に係る映像切替装置における切替手順を示したフローチャートである。
【図３】本発明の第二実施形態に係る映像切替装置の概略構成を示すブロック図である。
【図４】本発明の第二実施形態に係る映像切替装置の切替手順を示すフローチャートである。
【図５】本発明の第三実施形態に係る映像システムの構成を示すシステム構成図である。
【図６】従来の映像切替装置の概略構成を示すブロック図である。
【図７】従来の映像切替装置によって行われる切り替え前後のオンエア映像を示す第一のタイムチャート図である。
【図８】従来の映像切替装置によって行われる切り替え前後のオンエア映像を示す第二のタイムチャート図である。
【符号の説明】
【００４４】
Ａ  映像切替装置
１  素材機器１
２  素材機器２
５  マトリックス部
５ａ  仮想マトリックス部
７  タリー出力処理部
ａ、ｂ  素材映像
ｅ  第一の制御信号（タリーオン信号）
ｄ  第二の制御信号（タリーオフ信号）
【図１】
2008167125.tif 000003
【図２】
2008167125.tif 000004
【図３】
2008167125.tif 000005
【図４】
2008167125.tif 000006
【図５】
2008167125.tif 000007
【図６】
2008167125.tif 000008
【図７】
2008167125.tif 000009
【図８】
2008167125.tif 000010